(57)【要約】【課題】通常時における歩行感、疲労の軽減及び転倒等による衝撃荷重付加時における防振機能を十分良好に確保しつつ、重量物を設置した場合の床の局部的な沈み込み防止機能も確実に達成する。【解決手段】床スラブ上に設置される支持台と床材との間に介在される床材支持用緩衝ゴム１０であって、弾性ゴム製ベース５の中央部に、弾性ゴムと補強繊維との積層複合体からなるセンターマウント６が突設されているとともに、此のセンターマウント６の周辺部に、センターマウント６よりも高さの大きい弾性ゴム製突起７の複数個が周方向に等間隔おきに配置されている。【選択図】      図２
2004324335.tif 000002
【特許請求の範囲】
【請求項１】
床スラブ上に設置される支持台と床材または該床材を固定する床材固定部材との間に介在される床材支持用緩衝ゴムであって、
弾性ゴム製ベースの中央部には、弾性ゴムと補強繊維との積層複合体からなるセンターマウントが上方へ向けて突設されているとともに、このセンターマウントの周辺部には、複数個の弾性ゴム製突起が配置され、かつ、周辺部の弾性ゴム製突起の高さが上記センターマウントの高さよりも大に構成されていることを特徴とする床材支持用緩衝ゴム。
【請求項２】
上記複数個の弾性ゴム製突起は、弾性ゴム製ベースと一体に成形されている請求項１に記載の床材支持用緩衝ゴム。
【請求項３】
上記弾性ゴム製突起が、センターマウントの周辺部に周方向で等間隔おきに少なくとも３個以上配置されている請求項１または２に記載の床材支持用緩衝ゴム。
【請求項４】
上記弾性ゴム製ベースが、四角形状であり、この四角形状のベースの各角部に上記弾性ゴム製突起が配置されている請求項１ないし３のいずれかに記載の床材支持用緩衝ゴム。
【請求項５】
上記センターマウントは、弾性ゴムと補強繊維とを二層以上に積層して形成されている請求項１ないし４のいずれかに記載の床材支持用緩衝ゴム。
【発明の詳細な説明】
【０００１】
【発明の属する技術分野】
本発明は、床材支持用緩衝ゴムに関する。詳しくは、一般住宅等において居住者等が床上を歩行する際に発生する振動や、床上を走ったり転倒したりした時などに発生する衝撃的な振動を吸収し緩和する防振機能を発揮させるべく床スラブ上に設置される支持台と床材または該床材を固定する床材固定部材との間に介在されて用いられる床材支持用緩衝ゴムに関するものである。
【０００２】
【従来の技術】
この種の床材支持用緩衝ゴムを用いた防振床構造として、従来、根太の上に取付けられた下地合板（これは支持台に相当する）上に敷設施工される床材の裏面に凹所を形成し、この凹所の中央部に、床材との間に若干の隙間を形成するように弾性及びクッション性を有するゴム弾性体を配置し、このゴム弾性体を下地合板に接着してなるものが知られている（例えば、特許文献１参照）。
【０００３】
【特許文献１】
特開２００２−４７７８９号公報（図１）
【０００４】
【発明が解決しようとする課題】
上記した従来の防振床構造は、ゴム弾性体と床材との間に若干の隙間を形成することにより、床材の弾性が豊かになり、クッション性が増すために、居住者等が普通に歩行する時の衝撃が身体に伝わることなく、歩行感の向上が図れるとともに、長時間にわたり立ち仕事を行う場合に疲労を蓄積することもない。また、仮に居住者等が転倒するなどして床に衝撃的な荷重が付加された時もゴム弾性体のクッション性により、その衝撃が居住者等の身体に直接伝わらず、怪我や打撲の軽減が図れるとともに、床スラブ等の建物躯体への衝撃荷重や衝撃音の伝達も十分に抑制することが可能である。
【０００５】
しかしながら、従来の防振床構造にみられるように、単なる扁平板状のゴム弾性体を用いたものでは、そのゴム弾性体のばね特性が図４の荷重−たわみ線図中の細実線で示すような線形特性となる。もちろんゴム弾性体の厚みや形状を工夫することである程度の非線形の特性を持たせることは可能であるけれども、その特性の変化には自ずと限界があって、例えばピアノ等の重量物を置いた時にその設置箇所の沈み込みを防止できるように、弾性変位（たわみ）の途中で急激に固いばね特性となるような特性変化は困難というよりもむしろ不可能といって過言でない。このように上記従来の防振床構造では、通常時における歩行感の向上及び疲労の軽減と転倒等による衝撃荷重付加時における怪我や打撲の軽減及び建物躯体への衝撃荷重や衝撃音の伝達抑制といった防振機能は確保できても、重量物を設置した場合の床の局部的な沈み込み防止機能は達成することができないという問題があった。
【０００６】
本発明は上記実情に鑑みてなされたもので、通常時における歩行感、疲労の軽減及び転倒等による衝撃荷重付加時における防振機能を十分良好に確保しつつ、重量物を設置した場合の床の局部的な沈み込み防止機能も確実に達成することができる床材支持用緩衝ゴムを提供することを目的としている。
【０００７】
【課題を解決するための手段】
上記目的を達成するために、本発明に係る床材支持用緩衝ゴムは、床スラブ上に設置される支持台と床材または該床材を固定する床材固定部材との間に介在される床材支持用緩衝ゴムであって、弾性ゴム製ベースの中央部には、弾性ゴムと補強繊維との積層複合体からなるセンターマウントが上方へ向けて突設されているとともに、このセンターマウントの周辺部には、複数個の弾性ゴム製突起が配置され、かつ、周辺部の弾性ゴム製突起の高さが上記センターマウントの高さよりも大に構成されていることを特徴とするものである。
【０００８】
上記のごとき構成を有する本発明によれば、通常時は床材が緩衝ゴムにおける複数個の柔らかいばね特性の弾性ゴム製突起で支持されているために、床材を傾き等のない平坦な状態で安定よく支持するとともに、居住者等の歩行程度の軽い荷重が付加された時は弾性ゴム製突起の有する弾性、クッション性により衝撃を吸収して良好な歩行感を保ち、かつ、長時間にわたり床上で立ち仕事を行う場合の疲労も軽減することが可能である。また、居住者等が転倒するなどして床に衝撃的な荷重が付加された時も弾性ゴム製突起のクッション性により、その衝撃を居住者等の身体に直接伝えず、怪我や打撲の軽減が図れるとともに、床スラブ等の建物躯体への衝撃荷重や衝撃音の伝達も十分に抑制することが可能である。その上、床の一部にピアノ等の重量物を置いた場合は、弾性ゴム製突起の弾性変位にともない床材が、弾性ゴムと補強繊維との積層複合体からなる固いばね特性のセンターマウントで受け止め支持されることになり、重量物設置箇所の局部的な沈み込みを防止することが可能である。
【０００９】
本発明に係る床材支持用緩衝ゴムにおいて、上記弾性ゴム製突起とセンターマウントとは接着してもよいが、請求項２に記載のように、一体に成形することがコスト面からも強度の面からも好ましい。
【００１０】
また、本発明に係る床材支持用緩衝ゴムにおいて、上記複数個の弾性ゴム製突起は、床材の安定支持を考慮して、請求項３に記載のように、センターマウントの周辺部に周方向で等間隔おきに少なくとも３個以上配置されていることが望ましく、特に、床材の安定支持及びクッション性の均一性からみて、請求項４に記載のように、弾性ゴム製ベースを四角形状とし、この四角形状のベースの各角部に計４個の弾性ゴム製突起を配置することが最適である。
【００１１】
さらに、本発明に係る床材支持用緩衝ゴムにおいて、上記センターマウントを構成する弾性ゴムと補強繊維との積層数は、一層（一プライ）でもよいが、床面積や床の使途等に応じて、請求項５に記載のように、二層（二プライ）以上に設定して、種々のばね特性が得られるようにすればよい。
【００１２】
【発明の実施の形態】
以下、本発明の実施の形態を図面にもとづいて説明する。
図１は本発明に係る床材支持用緩衝ゴムの第一実施例を示す斜視図、図２はその平面図である。この第一実施例における床材支持用緩衝ゴム１０は、９０ｍｍ角で２．５ｍｍ厚の正方形状の弾性ゴム製ベース５の中央部に、弾性ゴムと補強繊維の一例となるナイロン布との積層複合体から直径６０ｍｍで高さ５ｍｍに形成された丸形のセンターマウント６が上方へ向けて突設されているとともに、上記弾性ゴム製ベース５の四つの角部にはそれぞれ、１４ｍｍ×５ｍｍで高さ１１．５ｍｍの弾性ゴム製突起７…がベース５と一体成形されて配置されている。
【００１３】
上記のごとき構成を持つ床材支持用緩衝ゴム１０は、図３に示すように、床スラブ１上に上下伸縮式サポート８を介して固定設置される支持台２と、床材３の下面に固定される床材固定部材（根太）４との間に介在して用いられ、これによって、二重床形式の防振床構造が構成されている。なお、図３中の符号９は根太繋ぎ板である。
【００１４】
このような防振床構造を構成するところの上記床材支持用緩衝ゴム１０は、センターマウント６における弾性ゴムとナイロン布との積層数が一プライの場合、図４の荷重−たわみ線図中の太実線で示すような非線形のばね特性を呈し、二プライの場合、図４の荷重−たわみ線図中の点線で示すような非線形のばね特性を呈し、また、三プライの場合、図４の荷重−たわみ線図中の一点鎖線で示すような非線形のばね特性を呈するといったように、弾性変位（たわみ）の途中で急激に固いばね特性となるような特性変化が得られることになる。
【００１５】
したがって、通常時は床材３が緩衝ゴム１０における４個の柔らかいばね特性の弾性ゴム製突起７…により、床材３を傾き等のない平坦な状態で安定よく支持するとともに、居住者等の歩行程度の軽い荷重が付加された時は弾性ゴム製突起７…の有する弾性、クッション性により衝撃を吸収して良好な歩行感を保つばかりでなく、長時間にわたり床上で立ち仕事を行う場合の疲労も軽減することが可能である。また、居住者等が転倒するなどして床材３に衝撃的な荷重が付加された時も弾性ゴム製突起７…のクッション性により、その衝撃を居住者等の身体に直接伝えず、怪我や打撲の軽減が図れるとともに、床スラブ１等の建物躯体への衝撃荷重や衝撃音の伝達も十分に抑制することが可能である。その上、床材３の一部にピアノ等の重量物を置いた場合や重量物を床に落下させるなどの強大な衝撃荷重が付加された時は、弾性ゴム製突起７…の弾性変位にともない床材固定部材４が、弾性ゴムと補強繊維との積層複合体からなる固いばね特性のセンターマウント６で受け止め支持されることになり、重量物設置箇所の局部的な沈み込みを防止することが可能である。
【００１６】
図５は本発明に係る床材支持用緩衝ゴムの第二実施例を示す平面図であり、この第二実施例の床材支持用緩衝ゴム１０は、弾性ゴム製ベース５を円形とし、その中央部に丸形のセンターマウント６が上方へ向けて突設されているとともに、このセンターマウント６の周辺部に周方向に等間隔おきで複数個（図面上では４個で示すが、２個以上であればよい）の弾性ゴム製突起７…を配置したものである。
【００１７】
図６は本発明に係る床材支持用緩衝ゴムの第三実施例を示す平面図であり、この第三実施例の床材支持用緩衝ゴム１０は、弾性ゴム製ベース５を四角形状とし、その中央部に丸形のセンターマウント６が上方へ向けて突設されているとともに、このセンターマウント６の周辺部でベース５の四つの角部近くに小円形状の弾性ゴム製突起７…を配置したものである。
【００１８】
上記第二実施例及び第三実施例の床材支持用緩衝ゴム１０も、上記第一実施例のものとほぼ同等な非線形のばね特性を呈し、通常時における歩行感、疲労の軽減及び転倒等による衝撃荷重付加時における防振機能を十分良好に確保しつつ、重量物を設置した場合の床の局部的な沈み込み防止機能も達成することができるのである。
【００１９】
なお、上記各実施例では、二重床形式の防振床構造に適用したものについて説明したが、根太の上に取付けた下地材（支持台に相当する）と床材との間に緩衝ゴム１０を介在させる形式の防振床構造に適用してもよい。
【００２０】
【発明の効果】
以上のように、本発明によれば、弾性ゴムと補強繊維との積層複合体からなるセンターマウントと、このセンターマウントよりも高さが大きい状態でセンターマウントの周辺部に配置した複数個の弾性ゴム製突起とを組み合わせた緩衝ゴムであるから、床材を傾きのないように安定支持できるとともに、荷重付加に伴う変位の途中で急激に固くなるような非線形のばね特性を得ることができる。したがって、居住者等が歩行する程度の通常時には弾性ゴム製突起のクッション性によりソフトな歩行感が得られ、疲労を軽減することができるとともに、居住者等の転倒等によって比較的軽い衝撃荷重が付加される時も同様なクッション性により所定の防振機能を維持して打撲の軽減及び床スラブ等の建物躯体への衝撃荷重や衝撃音の伝達抑制効果を確保することができるものでありながら、ピアノ等の重量物を設置した場合はその重量をセンターマウントで受け止めて床の局部的な沈み込みを確実に防止することができるという効果を奏する。
【図面の簡単な説明】
【図１】本発明に係る床材支持用緩衝ゴムの第一実施例を示す斜視図である。
【図２】図１の平面図である。
【図３】同上床材支持用緩衝ゴムを用いて施工された二重床形式の防振床構造の断面図である。
【図４】同上床材支持用緩衝ゴム及び従来の弾性体のばね特性を説明する荷重−たわみ線図である。
【図５】本発明に係る床材支持用緩衝ゴムの第二実施例を示す平面図である。
【図６】本発明に係る床材支持用緩衝ゴムの第三実施例を示す平面図である。
【符号の説明】
１  床スラブ
２  支持台
３  床材
４  床材固定部材
５  弾性ゴム製ベース
６  センターマウント
７  弾性ゴム製突起
１０  床材支持用緩衝ゴム
【図１】
2004324335.tif 000003
【図２】
2004324335.tif 000004
【図３】
2004324335.tif 000005
【図４】
2004324335.tif 000006
【図５】
2004324335.tif 000007
【図６】
2004324335.tif 000008